(57)【要約】【課題】  水受けトレーを後ろから照らすことで、該トレーに溜まっ水の量を簡単に視認することができ、水を捨てるタイミングを容易に確認することができる家具を提供する。【解決手段】  家具の透光材質で形成された着脱自在な水受けトレーの後方に、照明器具を配設し、該照明器具の光が水受けトレーを照らすように構成した。また、前記水受けトレーの上部には、水切りされた水を集めて水受けトレーへと導水する水切りプレートを配設し、該水切りプレートを透光材質で形成し、前記照明器具は、家具の内部を照らすことができるように構成した。さらに、前記照明器具は、家具の下方をも照らすことができることを特徴とする。【選択図】図１
2008237659.tif 000002
【特許請求の範囲】
【請求項１】
透光材質で形成された着脱自在な水受けトレーの後方に、照明器具を配設し、該照明器具の光が水受けトレーを照らすように構成したことを特徴とする家具。
【請求項２】
前記水受けトレーの上部には、水切りされた水を集めて水受けトレーへと導水する水切りプレートが配設されていることを特徴とする請求項１に記載の家具。
【請求項３】
前記照明器具は、家具の下方をも照らすことができることを特徴とする請求項１に記載の家具。
【請求項４】
前記水切りプレートを透光材質で形成し、前記照明器具は、家具の内部を照らすことができることを特徴とする請求項１乃至請求項３のいずれかに記載の家具。
【請求項５】
前記家具は、電動式昇降吊戸棚であることを特徴とする請求項１乃至請求項４のいずれかに記載の家具。
【発明の詳細な説明】
【技術分野】
【０００１】
この発明は、水受けトレーを備えた家具、特に、水受けトレーを備えた昇降吊戸棚に好適な家具に関する。
【背景技術】
【０００２】
従来より、洗った皿や鍋等の物品を水切り棚に載置する機能を備えた昇降式吊戸棚は、例えば、特許文献１に示すように公知である。
【０００３】
【特許文献１】特開２００１−８７０６１号公報
【発明の開示】
【発明が解決しようとする課題】
【０００４】
ところで、このような水切り機能を備えた昇降式吊戸棚にあっては、水受けトレーには照明が当たらないように構成されていたため、水受けトレーの内部が暗く、溜まった水の量を視認しにくく、水が溢れてしまい易い、という不具合を有していた。
【０００５】
この発明は、かかる現状に鑑み創案されたものであって、その目的とするところは、水受けトレーを後ろから照らすことで、該トレーに溜まっ水の量を簡単に視認することができ、水を捨てるタイミングを容易に確認することができる家具を提供しようとするものである。
【課題を解決するための手段】
【０００６】
上記目的を達成するため、請求項１に記載の家具にあっては、透光材質で形成された着脱自在な水受けトレーの後方に、照明器具を配設し、該照明器具の光が水受けトレーを照らすように構成したことを特徴とする。
【０００７】
また、請求項２に記載の発明にあっては、請求項１に記載の家具を技術的前提とし、前記水受けトレーの上部には、水切りされた水を集めて水受けトレーへと導水する水切りプレートが配設されていることを特徴とする。
【０００８】
さらに、請求項３に記載の発明にあっては、請求項１に記載の家具を技術的前提とし、前記照明器具は、家具の下方をも照らすことができることを特徴とする。
【０００９】
さらに、請求項４に記載の家具にあっては、請求項１乃至請求項３のいずれかに記載の家具を技術的前提とし、前記水切りプレートを透光材質で形成し、前記照明器具は、家具の内部を照らすことができることを特徴とする。
【００１０】
さらに、請求項５に記載の家具にあっては、請求項１乃至請求項４のいずれかに記載の家具を技術的前提とし、前記家具を電動式吊戸棚としたことを特徴とする。
【発明の効果】
【００１１】
それ故、請求項１に記載の発明にあっては、水受けトレーを後ろから照らすことで、該トレーに溜まっ水の量を簡単に視認することができ、水を捨てるタイミングを容易に確認することができる。
【００１２】
また、請求項２に記載の発明にあっては、水切り棚から流下する水を集めて水受けトレーへと自動的に導水することができる。
【００１３】
さらに、請求項３に記載の発明にあっては、家具の下方を照らす照明器具を別途配設する必要がないため、この種の家具の構成を単純化して、部品点数を削減でき製造コストを低減することができる。
【００１４】
請求項４に記載の発明にあっては、水受けトレーと家具の内部を同時に照らすことができ、家具の内部を照明する照明器具が必要ないため、部品点数を削減でき製造コストを低減することができる。
【００１５】
請求項５に記載の発明にあっては、本発明を電動式昇降吊戸棚に適用した場合、デザイン性が向上し、かつその機能も最も効果的となる。
【発明を実施するための最良の形態】
【００１６】
以下、添付図面に示す発明の一実施形態例に基づき、この発明を詳細に説明する。
【００１７】
図１は、この発明の一実施形態例に係る電動式昇降吊戸棚の水受けトレー部を示す断面図を、図２は同水受けトレー部の平面図を、図３は同水受けトレー部のＡ−Ａ線断面図を、図４は同水受けトレー部の正面図を、図５は同水受けトレー部の側面図を、図６は同水受けトレー部のＢ−Ｂ線断面図を、図７は同水受けトレー部が適用された電動式昇降吊戸棚のインナーキャビネットを示す断面図を夫々示している。
【００１８】
この実施形態例の電動式昇降吊戸棚１は、食器の水きり機能を備えており、その下方にはカウンター（図示せず）が配設されるもので、下部が開口された箱型のアウターケース（図示せず）と、該アウターケースの開口からインナーケース２が上下に昇降操作可能に構成されている。
【００１９】
該アウターケースの内部上部には、図示はしないが滑車と巻取りドラムと駆動モータを備えた昇降機構部が設置されており、該昇降機構部からの一対のベルトにインナーケース２を係着していて、駆動モータによってインナーケース２を昇降することができるように構成されているが、該昇降駆動手段は、公知の各種昇降手段を適用することができる。
【００２０】
尚、上記インナーケース２は、該インナーケース２の天板３と水受けトレー４との間に、例えば、カラー塗装して錆び止めした金属線材を複数本架設したワイヤー棚５が着脱自在に配設されており、該金属線材間に皿を立てて挿入して保持したり、又、ちゃわんのような容器状の食器を内部に収容保持できるように構成されている。
【００２１】
本実施形態例において、上記水受けトレー４は、透光性材質でパン状に形成されていると共に、水受けトレー４の裏面左右には特に図示はしないが、レールが設けられ、該トレー４を手指でインナーケース２の手前に引出すことで、溜まった水を外部に排水することができるように構成されている。
【００２２】
そして、上記水受けトレー４の後方であって、インナーケース２の下部には、照明器具６が配設され、図示しないスイッチの操作により、該照明器具６が点灯したり消灯するように構成されている。尚、該照明器具６は、公知のものを用いることができるが、本実施形態例では、該照明器具６からの光は、水受けトレー４を後方から照らし、かつ、インナーケース２の下部に開設された開口７から下方を照らすことができるように構成されている。
【００２３】
また、この実施形態例では、図１に示すように、上記水受けトレー４を収納するトレー収納部８の背板９の上部隙間Ｓから照明器具６の光が漏れて水受けトレー４を照らすように構成した場合を例にとり説明しているが、この発明にあってはこれに限定されるものではなく、この背板９を廃止して照明器具６からの光で水受けトレー４を直接照らすように構成してもよい。
【００２４】
また、該水受けトレー４の上部には、ワイヤー棚５に保持された食器類から滴下する水を受け、集水して排水孔１１から水受けトレー４へと排水する水切りプレート１０が配設されており、この実施形態例では、該水切りプレート１０を透光材質で形成し、照明器具６からの光でインナーケース２の内部を照らすことができるように構成されている。
【００２５】
この実施形態例にかかる電動式昇降吊戸棚１は、以上のように構成されているので、水受けトレー４を後ろから照らすことで、該トレー４に溜まった水の量を簡単に視認することができ、水を捨てるタイミングを容易に確認することができ、また、ワイヤー棚５から流下する水を集めて水受けトレー４へと自動的に導水することができ、さらに、下方の手元などを照らす照明器具を別途配設する必要がないため、この種の電動式昇降吊戸棚１の構成を単純化して、部品点数を削減でき製造コストを低減することができ、しかも、水受けトレー４とインナーケース２の内部を同時に照らすことができ、インナーケース２の内部を照明する照明器具が必要ないため、部品点数を削減でき製造コストを低減することができると共に、この種の電動式昇降吊戸棚１のデザイン性が向上する等、幾多の優れた効果を奏することができる。
【００２６】
尚、上記実施形態例では、この発明を電動式昇降吊戸棚１に適用した場合を例にとり説明したが、この発明は、これに限定されるものではなく、例えば、水受けトレー４を備えた各種収納庫に適用することができる。
【図面の簡単な説明】
【００２７】
【図１】この発明の一実施形態例に係る電動式昇降吊戸棚の水受けトレー部を示す断面図である。
【図２】同水受けトレー部の平面図である。
【図３】同水受けトレー部のＡ−Ａ線断面図である。
【図４】同水受けトレー部の正面図である。
【図５】同水受けトレー部の側面図である。
【図６】同水受けトレー部のＢ−Ｂ線断面図である。
【図７】同水受けトレー部が適用された電動式昇降吊戸棚のインナーキャビネットを示す断面図である。
【符号の説明】
【００２８】
１  電動式昇降吊戸棚
２  インナーケース
４  水受けトレー
５  ワイヤー棚
６  照明器具
１０  水切りプレート
【図１】
2008237659.tif 000003
【図２】
2008237659.tif 000004
【図３】
2008237659.tif 000005
【図４】
2008237659.tif 000006
【図５】
2008237659.tif 000007
【図６】
2008237659.tif 000008
【図７】
2008237659.tif 000009